(57)【特許請求の範囲】
【請求項１】
目次領域（リードイン領域）と記録情報領域とリードアウト領域とが順次形成される記録再生可能な情報記録媒体において、
前記目次領域と前記リードアウト領域は、ピットにより再生専用に形成され、
前記記録情報領域は、前記目次領域との境界部分が再生専用に形成されているとともに、残りの部分が記録・消去可能に形成され、前記再生専用に形成されている部分に、プレギャップの一部が記録され、前記記録・消去可能に形成されている先頭部分に、プレギャップの残りの部分が記録されて、その後に、管理情報を指標する指標管理情報、該記録情報領域に記録される情報を検索するための前記管理情報及び前記情報が順次記録されることを特徴とする情報記録媒体。
【請求項２】
目次領域（リードイン領域）と記録情報領域とリードアウト領域とが順次形成される記録再生可能な情報記録媒体において、
前記目次領域と前記リードアウト領域は、ピットにより再生専用に形成され、
前記記録情報領域は、その一部が再生専用に形成されているとともに、残りの部分が記録・消去可能に形成され、前記再生専用に形成されている部分に、プレギャップの一部が形成されているとともに、所定量の情報が記録され、前記記録・消去可能に形成されている部分に、プレギャップの残りの部分が形成されているとともに、管理情報を指標する指標管理情報、該記録情報領域に記録される情報を検索するための前記管理情報及び前記情報が記録されることを特徴とする情報記録媒体。
【請求項３】
前記記録情報領域は、その記録・消去可能に形成されている部分全体が、情報の記録前に、予め所定のダミーデータが記録されていることを特徴とする請求項１もしくは２に記載の情報記録媒体。
【請求項４】
前記再生専用に形成されている記録情報領域の前記プレギャップの部分は、当該再生専用に形成された記録情報領域に記録された情報と、当該情報を検索するための第２の管理情報とからなることを特徴とする請求項２に記載の情報記録媒体。
【請求項５】
前記再生専用に形成された記録情報領域にピットとして形成された情報と、当該情報を検索するための第２の管理情報と、前記リードアウト領域とが連続して領域形成されていることを特徴とする請求項２に記載の情報記録媒体。
【発明の詳細な説明】
【０００１】
【発明の属する技術分野】
本発明は、情報記録媒体に関し、詳細には、読出専用光ディスク（例えば、ＣＤ−ＲＯＭ等）の再生装置で再生可能な物理フォーマット及び論理フォーマットを設定した情報記録媒体に関する。
【０００２】
【従来の技術】
読出専用の情報記録媒体、例えば、ＣＤ−ＲＯＭは、金型の表面に情報が信号としてピットで記録されたものを樹脂ディスクに複製することにより製造され、ＣＤ−ＲＯＭプレーヤ等の再生装置は、この信号を再生して情報を読み出す。
【０００３】
ＣＤ−ＲＯＭは、全面に刻まれたピットにより約６００Ｍバイト（Byte）もの情報を記録することができ、１セクター（＝フレーム：１／７５秒）に２ＫByteの情報が約７０分程度記録される。このＣＤ−ＲＯＭの物理的構造、物理フォーマットは、ＣＤ−ＲＯＭ規格書（イエローブック）に規格化されており、また、論理フォーマットもＩＳＯ９６６０として規格・標準化されている。
【０００４】
すなわち、図１５に示すように、ＣＤ−ＲＯＭの構造は、目次領域（リードイン領域）ＲＡと、記録情報領域ＩＡと、リードアウト領域ＯＡと、からなり、目次領域ＲＡには、記録情報領域ＩＡのスタート時間ＳＴ１、リードアウト領域ＯＡのスタート時間ＳＴ２、各トラックのスタート時間等がＴＯＣ（Ｔable  of  contents）として記録される。ＣＤ−ＲＯＭの場合、ほとんどの場合が１トラックから構成されるので、各トラックのスタート時間は、記録情報領域ＩＡのスタート時間ＳＴ１に等しくなる。
【０００５】
記録情報領域ＩＡは、この記録情報領域ＩＡのスタート時間ＳＴ１とリードアウト領域ＯＡのスタート時間ＳＴ２の間に形成され、２秒間のプレギャップ（ＰreＧap）ＰＧの後、システム予約エリアとＶＤ（ボリュームディスクリプタ）領域からなる指標管理情報ＳＩと、管理情報ＣＩと、情報Ｉと、から構成される。
【０００６】
管理情報ＣＩには、ファイルやディレクトリからなる情報Ｉの位置情報、サイズ、名称、属性等が、ディレクトリレコード・パステーブルＰＴとして記録され、指標管理情報ＳＩのボリュームディスクリプタ（ＶＤ）領域には、管理情報ＣＩの位置情報、サイズ等が記録される。
【０００７】
このＣＤ−ＲＯＭにおいては、指標管理情報ＳＩは、常に先頭の論理アドレスにあるので、この指標管理情報ＳＩが最初に読まれ、ここに記録された管理情報ＳＩに関する情報から管理情報ＣＩが読まれて、管理情報ＣＩに記録されたディレクトリレコード・パステーブルＰＴからファイル・ディレクトリが再生される。例えば、図１５では、管理情報ＣＩに記録されたファイルＦ１、Ｆ２、Ｆ３の位置情報ＳＡ１、ＳＡ２、ＳＡ３からファイルＦ１、Ｆ２、Ｆ３が検索される。
【０００８】
また、追記型光ディスクであるＣＤ−Ｒ（ＣＤ  Recordable）は、物理フォーマット、論理フォーマットを、ＣＤ−ＲＯＭと同じになるように、ＣＤライターにより情報を記録することにより、ＣＤ−ＲＯＭプレーヤで再生することができ、ＣＤーＲの規格は、オレンジブック  PartIIに定められている。ＣＤ−Ｒは、グルーブに予め絶対時間情報（ＡＴＩＰ：Ａbusolute  Ｔime  in  Ｐre-groove）が記録されており、ＣＤ−Ｒライター（ＣＤ−Ｒ記録装置）は、この時間情報に従って情報を記録する。
【０００９】
ＣＤ−Ｒは、図１６に示すように、目次領域ＲＡからリードアウト領域ＯＡまでがＣＤ−ＲＯＭと同等な配置で記録されている場合だけでなく、その外側の領域に、目次領域ＲＡ’からリードアウト領域ＯＡ’までが更に追記された場合でも、ＣＤ−ＲＯＭプレーヤで再生することができる。このように外側の領域まで追記されるメディアは、マルチセッションディスクと呼ばれ、最内周を第１セッションＳＮ１、次が、第２セッションＳＮ２、・・・と、セッションＳＮ単位で、ＣＤライターにより追記することができる。
【００１０】
第１セッションＳＮ１内の構成は、目次領域ＲＡと記録情報領域ＩＡとリードアウト領域ＯＡから構成され、目次領域ＲＡに記録情報領域ＩＡとリードアウト領域ＯＡのスタート時間ＳＴを示す情報ＳＴ１、ＳＴ２、ＳＴ３が記録されているほかに、第２セッションＳＮ２の開始時間ＳＳＴ１と第２セッションＳＮ２の記録情報領域ＩＡのスタート時間ＳＳＴ２と最終リードアウト領域ＯＡのスタート時間ＳＯＴが記録される以外は、図１５のＣＤ−ＲＯＭと同様である。すなわち、管理情報ＣＩに記録された位置情報ＳＡ１、ＳＡ２、ＳＡ３により、第１セッションＳＮ１の記録情報領域ＩＡ内の情報Ｉが検索される。
【００１１】
第２セッションＳＮ２も第１セッションＳＮ１と同様に、目次領域ＲＡ’と記録情報領域ＩＡ’とリードアウト領域ＯＡ’から構成される。第２セッションＳＮ２の管理情報ＣＩ’には、第２セッションＳＮ２に追記された情報Ｉ’の位置情報ＳＡ４、ＳＡ５等ばかりでなく、第１セッションＳＮ１に含まれる情報Ｉの位置情報ＳＡ１’、ＳＡ２’、ＳＡ３’等も記録されるので、第２セッションＳＮ２の管理情報ＣＩ’により、ディスク全体のファイル・ディレクトリの検索が可能になる。第３セッションＳＮ３以降も第２セッションＳＮ２と同様に記録される。
【００１２】
ＣＤ−Ｒは、図１６においては、第１セッションＳＮ１をＣＤライターで記録して作成しているが、図１７に示すように、予めＣＤ−ＲＯＭのようにピットで第１セッションＳＮ１を形成することもでき、ハイブリッドディスクと呼ばれ、データの構成は、図１６とまったく同じであるが、第１セッションＳＮ１をＲＯＭ領域ＲＭＡとして再生専用に形成し、第２セッションＳＮ２以降を、記録可能領域ＷＡに追記して形成する。したがって、１枚のディスクに再生専用領域ＲＭＡと記録可能領域ＷＡを形成できるので、従来からあるＣＤ−ＲＯＭにユーザーがデータを追記して使用することができる。このＣＤ−Ｒについても、オレンジブック  PartＩに規格化されている。
【００１３】
このような規格が設定されている状態において、書き換え可能な情報記録媒体をいかに生成するかについて、従来から、研究が行われており、例えば、特開平５−９４６７５号公報記載のものでは、情報量がその記録坦体のトラックのセクター内に記録され、該情報量はその記録された情報量内の情報に対する探索を制御するために用いられるように企図された情報を制御するための参照符号を具えており、該参照符号は予定されたアドレス領域内の１個又は複数個のセクター内に収納されている記録坦体上に情報を記録する方法において、前記情報量の記録の後の瞬間に少なくとも次の情報量が最後に記録された情報量の端部に隣接するトラック内に記録され、該次の情報量が関連する情報量内及び先に記録された情報領内の情報に対する探索を制御するために用いられるように企図された代用制御情報に対する参照符号を具えており、該制御情報参照符号は再生できる代用アドレス領域内の１個又は複数個のセクター内に収納されているものである。
【００１４】
すなわち、上記マルチセッションディスクの論理フォーマットを利用して、記録時に情報とともに、目次領域及びリードアウト領域に必要な情報を同時に記録することにより、ＣＤ−ＲＯＭプレーヤでの再生を可能にしており、１度だけ記録することのできる追記型のものである。
【００１５】
また、従来、特開平３−８６９７５号公報記載の追加方式の追記型情報記録媒体及び情報管理方法が提案されており、これは、管理情報領域とこの管理情報領域に連続した記録情報領域とが設定された追加方式の追記型情報記録媒体であって、前記記録情報領域には、記録情報と、この記録情報に関する下層管理情報と、追記により変更された基底管理情報とが記録され、前記管理情報領域には、前記記録情報領域の前記基底管理情報を指標する指標管理情報と、終了管理情報と、空白部への埋め書き情報とが記録されているものである。
【００１６】
すなわち、上記ボリュームディスクリプタ（ＶＤ）領域からディレクトリレコード・パステーブルＰＴの間に未記録部を作っておき、追記終了後、この部分を埋めて完成させるものであり、１度だけ記録することのできる追記型のものである。
【００１７】
【発明が解決しようとする課題】
しかしながら、上記公報に記載されているような従来の情報記録媒体にあっては、１度だけ記録することのできるいわゆる追記型のものであって、複数回記録、消去を行うことができず、利用性が悪いとともに、記録及び情報の検索、再生に長時間を要し、処理時間が遅いという問題があった。
【００１８】
すなわち、特開平５−９４６７５号公報記載のものは、マルチセッションディスクの論理フォーマットにより追記後のＣＤ−ＲＯＭプレーヤでの再生を可能にするようにしていたため、常にセッション単位の追記を行うこととなり、セッション単位の追記では、僅かな情報を追記する場合であっても、リードイン・リードアウト領域を一緒に記録する必要があり、追記に時間がかかるという問題があった。また、追記したディスクを再生する際においては、情報が複数のセッションにまたがるため、情報の検索、再生に時間がかかり、再生処理速度が遅くなるという問題があった。
【００１９】
また、特開平３−８６９７５号公報記載のものは、１つのセッションを分割して追記を可能にしており、当該追記を行うセッションを閉じるまで、すなわち、リードイン・リードアウトを記録するまでは、ＣＤ−ＲＯＭプレーヤでの再生を行うことができないだけでなく、当該セッションを閉じてしまうと、当該セッションへの追記をもはや行うことができなくなり、利用性が悪いという問題があった。
【００２０】
さらに、オレンジブック  PartＩは、ＣＤ−ＭＯ（ＣＤ−Ｍagneto-Ｏptical  disk：光磁気ディスク）の規格であり、一部にピットで形成されたＲＯＭ部（Ｐre-mastered  Ａrea）を持った構成のディスクもあるが、データ構造がＣＤ−ＲＯＭと異なるため、ＣＤ−ＲＯＭプレーヤでは、再生できないという問題があった。
【００２１】
そこで、本発明は、目次領域（リードイン領域）とリードアウト領域を予めピットにより再生専用に形成するとともに、記録情報領域を記録・消去可能に形成し、情報の記録、追加及び書換時に記録情報領域のみを記録することにより、情報を短時間で記録でき、かつ、記録情報をＣＤ−ＲＯＭプレーヤで再生可能な情報記録媒体を提供することを目的としている。
【００２２】
特に、本発明は、再生専用の目次領域と記録・消去可能な記録情報領域との境界部分に、再生専用のプレギャップと記録・消去可能なプレギャップを形成することにより、再生専用領域と記録・消去可能領域を頻繁にシークされる記録情報領域の先頭からずらせ、情報の追記や書き換えによる信号の乱れが発生した場合にも、ＣＤ−ＲＯＭプレーヤで安定して再生することのできる情報記録媒体を提供することを目的としている。
【００２３】
また、本発明は、再生専用の目次領域と記録・消去可能な記録情報領域との境界部分に、再生専用のプレギャップと記録・消去可能なプレギャップを形成するとともに、記録情報領域に再生専用領域と記録・消去可能領域を形成することにより、安定して再生できるとともに、利用性の良好な情報記録媒体を提供することを目的としている。
【００２４】
さらに、本発明は、記録情報領域の記録・消去可能な領域に予め所定のダミーデータを記録することにより、記録時に記録情報領域全体を記録することなく、必要な指標管理情報、管理情報及び情報のみを記録するだけで記録・再生を行え、情報の記録、追加及び書換を短時間で行うことのできる情報記録媒体を提供することを目的としている。
【００２５】
さらに、また、本発明は、記録情報領域の再生専用領域に、情報と当該情報を検索するための第２の管理情報を予め記録することにより、再生専用領域の管理情報を他に記録することなく、追記を行うことができるとともに、再生専用領域と記録・消去可能領域の双方をＣＤ−ＲＯＭプレーヤにより再生することのできる情報記録媒体を提供することを目的としている。
【００２６】
さらに、また、本発明は、記録情報領域の再生専用領域に、情報、当該情報を検索するための第２の管理情報及びリードアウト領域を連続して領域形成することにより、情報記録媒体の初期化時に再生専用領域の管理情報の位置を簡単に検出して、高速に初期化を行うことができるとともに、該管理情報を追記時に誤って重ね書きすることを防止することのできる情報記録媒体を提供することを目的としている。
【００２７】
【課題を解決するための手段】
本発明の情報記録媒体は、目次領域（リードイン領域）と記録情報領域とリードアウト領域とが順次形成される記録再生可能な情報記録媒体において、前記目次領域と前記リードアウト領域は、ピットにより再生専用に形成され、前記記録情報領域は、記録・消去可能に形成され、前記記録情報領域には、プレギャップ、管理情報を指標する指標管理情報、前記記録情報領域に記録される情報を検索するための前記管理情報及び前記情報が順次記録されることを基本とする。
【００２８】
ここで、ＣＤ−ＲＯＭは、再生専用ディスクであり、ＣＤ−ＲＯＭでは、情報は、ＩＳＯ９６６０論理フォーマットに従ってその記録情報領域にプレギャップ、指標管理情報及び管理情報と一緒に記録されている。また、ＣＤ−Ｒは、案内溝が刻まれたディスクの表面に記録材として色素が塗布され、これにＣＤライターでレーザー光を照射して、ピットを形成するが、ＣＤ−ＲＯＭと同じ構成になるように信号を記録（すなわち、目次領域と記録情報領域とリードアウト領域を形成し、記録情報領域にＩＳＯ９６６０論理フォーマットに従って情報を記録）すると、ＣＤ−ＲＯＭと同様に再生できる。ところが、ＣＤ−Ｒは、ディスク表面の色素に穴を開けてピットを形成するので、１度だけ記録することができ、書き換え消去はできないが、セッション単位で、情報を追加することができ、これもまたＣＤ−ＲＯＭプレーヤで再生できる。また、ＣＤーＲでは、最終セッションの管理情報に全ディスクの情報を記録するので、管理情報の操作により、実際に消去・書き換えされるわけではないが、再生された情報としては、消去・書き換えも可能である。さらに、第１セッションは、ＣＤ−ＲＯＭと同じように複製してピットを形成することもでき、再生専用領域と記録可能領域をもつハイブリッドディスクと呼ばれる。
【００２９】
しかし、記録・消去可能な材料、例えば、相変化材料により形成した情報記録媒体に、ＣＤ−ＲＯＭと同じ構成になるように信号を情報記録装置で記録すると、ＣＤ−ＲＯＭプレーヤでの再生が可能であり、また、ＣＤ−Ｒのハイブリッドディスクと同様第１セッションは、ＣＤ−ＲＯＭと同じように複製してピットを形成することもでき、１枚の情報記録媒体に再生専用領域と記録可能領域を実現することができる。
【００３０】
そこで、目次領域とリードアウト領域とを予めピットで再生専用に形成しておき、記録情報領域を記録・消去可能に形成して、予めダミーデータで埋めておき、追記書き換えするデータとそれを検索する論理フォーマットデータ（管理情報及び指標管理情報）のみを記録情報領域に記録すれば、再生可能な状態にすることができるので、追記、書き換えを短時間に実現することができる。
【００３１】
上記構成によれば、目次領域（リードイン領域）とリードアウト領域を予めピットにより再生専用に形成するとともに、記録情報領域を記録・消去可能に形成し、情報の記録、追加、書換時に記録情報領域のみを記録することにより、ＣＤ−ＲＯＭプレーヤで再生することのできる情報を短時間で記録することができる。
【００３２】
この場合、特に、本発明では、請求項１に記載するように、前記記録情報領域は、前記目次領域との境界部分が再生専用に形成されているとともに、残りの部分が記録・消去可能に形成され、当該再生専用に形成されている部分に、前記プレギャップの一部が記録され、当該記録・消去可能に形成されている部分に、前記プレギャップの残りの部分が記録されるようにする。
【００３３】
上記構成によれば、再生専用の目次領域と記録・消去可能な記録情報領域との境界部分に、再生専用のプレギャップと記録・消去可能なプレギャップを形成しているので、再生専用領域と記録・消去可能領域を頻繁にシークされる記録情報領域の先頭からずらすことができ、情報の追記や書換による信号の乱れが発生した場合にも、ＣＤ−ＲＯＭプレーヤにより安定して再生することができる。
【００３４】
また、請求項２に記載するように、前記記録情報領域は、その一部が再生専用に形成されているとともに、残りの部分が記録・消去可能に形成され、前記再生専用に形成されている部分に、前記プレギャップの一部が形成されているとともに、所定量の前記情報が記録され、前記記録・消去可能に形成されている部分に、前記プレギャップの残りの部分が形成されているとともに、前記指標管理情報、前記管理情報及び前記情報が記録されるようにする。
【００３５】
上記構成によれば、再生専用の目次領域と記録・消去可能な記録情報領域との境界部分に、再生専用のプレギャップと記録・消去可能なプレギャップを形成するとともに、記録情報領域に再生専用領域と記録・消去可能領域を形成しているので、ＣＤ−ＲＯＭプレーヤにより安定して再生することができるとともに、情報記録媒体の利用性を向上させることができる。
【００３６】
さらに、例えば、請求項３に記載するように、前記記録情報領域は、その記録・消去可能に形成されている部分全体が、前記情報の記録前に、予め所定のダミーデータが記録されていてもよい。
【００３７】
上記構成によれば、記録情報領域の記録・消去可能な領域に予め所定のダミーデータが記録されているので、記録時に記録情報領域全体を記録することなく、必要な指標管理情報、管理情報及び情報のみを記録するだけで記録・再生を行うことができ、ＣＤ−ＲＯＭプレーヤで再生可能な情報の記録、追加及び書換を短時間で行うことができる。
【００３８】
さらに、例えば、請求項４に記載するように、前記再生専用に形成されている記録情報領域は、当該再生専用に形成された記録情報領域に記録された情報と、当該情報を検索するための第２の管理情報と、からなるものであってもよい。
【００３９】
上記構成によれば、記録情報領域の再生専用領域に、情報と当該情報を検索するための第２の管理情報が予め記録されているので、再生専用領域の管理情報を他に記録することなく、追記を行うことができるとともに、再生専用領域と記録・消去可能領域の双方をＣＤ−ＲＯＭプレーヤにより再生することができる。
【００４０】
また、例えば、請求項５に記載するように、情報記録媒体は、前記再生専用に形成された記録情報領域にピットとして形成された情報と、当該情報を検索するための第２の管理情報と、前記リードアウト領域とが連続して領域形成されていてもよい。
【００４１】
上記構成によれば、記録情報領域の再生専用領域に、情報、当該情報を検索するための第２の管理情報及びリードアウト領域が連続して領域形成されているので、情報記録媒体の初期化時に再生専用領域の管理情報の位置を簡単に検出して、高速に初期化を行うことができるとともに、追記時に該管理情報を誤って重ね書きすることを防止することができる。
【００４２】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００４３】
図１〜図５は、本発明の情報記録媒体及び情報記録装置の第１の実施の形態を示す図である。
【００４４】
図１は、本実施の形態の情報記録媒体１の側面部分断面図であり、図１において、情報記録媒体１は、記録・消去可能な材料、例えば、相変化材料によりディスク状に形成されているが、その目次領域（リードイン領域）ＲＡとリードアウト領域ＯＡとが、予めピットにより再生専用領域として形成され、その記録情報領域２が相変化材料によりリライタブル（書き換え可能）な記録可能領域に形成されている。なお、図１中、３は、ディスク基板である。
【００４５】
目次領域（リードイン領域）ＲＡは、情報記録媒体１の最内周部に形成されており、リードアウト領域ＯＡは、情報記録媒体１の最外周部に形成されている。そして、この目次領域ＲＡとリードアウト領域ＯＡの間に記録情報領域２が形成されている。目次領域ＲＡには、図４に示すように、記録情報領域２のスタート時間ＳＴ１、リードアウト領域ＯＡのスタート時間ＳＴ２及び各トラックのスタート時間ＴＳＴ（図示略）等がＴＯＣ（Ｔable  of  contents）としてピットにより記録されている。すなわち、ＣＤ−ＲＯＭの場合は、殆どの場合が１トラックから構成されるので、情報記録媒体１では、各トラックのスタート時間ＴＳＴは、記録情報領域２のスタート時間ＳＴ１に等しくなるように記録される。
【００４６】
記録情報領域２は、上述のように、相変化材料により、例えば、記録材の結晶化とアモルファス化の反射率差を利用して、記録・消去可能に形成されており、後述するように、記録情報領域２に情報が記録される前に、予め初期化される。
【００４７】
すなわち、図２に示すように、記録情報領域２にプレギャップＰＧを形成し、それ以降の記録情報領域２も、データの全てがゼロの情報にエラー訂正コード・アドレス情報を付加した情報（ダミー情報）を記録する。このダミー情報（ダミーデータ）は、スクランブルしてＣＤ−ＲＯＭフォーマットに変換し、ＣＤコードにエンコードした信号として記録される。以上により、情報記録媒体１の初期化が完了する。
【００４８】
上記情報記録媒体１は、図３に示す情報記録装置１０により記録、再生され、上記情報記録媒体１の初期化をこの情報記録装置１０により、あるいは、専用の初期化装置により行う。
【００４９】
情報記録装置１０は、図３に示すように、ＭＰＵ（Ｍicro  Ｐrocessing  Ｕnit）１１、ＣＤ−ＲＯＭエンコーダ１２、記録アンプ１３、ＬＤドライバ１４、ピックアップ（ＰＵ）１５、モータ１６、再生アンプ１７、ＣＤ−ＲＯＭデコーダ１８、サーボ回路１９、ＡＴＩＰデコーダ２０及びターンテーブル２１等を備えており、情報記録媒体１に情報を記録するとともに、情報記録媒体１の情報を再生する。
【００５０】
情報記録装置１０は、ホスト装置、例えば、パーソナルコンピュータ等のホストコントローラ２１に接続され、ＭＰＵ１１がホストコントローラ２１と信号の交換を行って、ホストコントローラ２１からの情報を情報記録媒体１に記録するとともに、再生した情報をホストコントローラ２１に出力する。
【００５１】
ＣＤ−ＲＯＭエンコーダ１２は、ＭＰＵ１１の制御下で動作して、ホストコントローラ２１から入力される情報をＣＤ−ＲＯＭフォーマットに変換し、ＣＤコードにエンコードして記録アンプ１３に出力する。
【００５２】
記録アンプ１３は、ＭＰＵ１１の制御下で動作して、ＣＤ−ＲＯＭエンコーダ１２の出力を増幅して、ＬＤドライバ１４に出力し、ＬＤドライバ１４は、記録アンプ１３の出力に基づいてピックアップ１５のレーザー出力を制御する。ピックアップ１５は、記録機能と再生機能を備えており、ＬＤドライバ１４の制御下で記録用のレーザーをターンテーブル２１上にセットされた情報記録媒体１に照射して、ホストコントローラ２１から入力された情報に対応した情報（ＣＤ−ＲＯＭフォーマットに変換され、ＣＤコードにエンコードされた情報）を情報記録媒体１に記録する。また、ピックアップ１５は、再生時、再生用のレーザーを情報記録媒体１に照射して、情報記録媒体１の反射光を受光して再生信号を取得し、取得した再生信号を再生アンプ１７に出力する。
【００５３】
モータ１６は、サーボ回路１９からの制御下で、ターンテーブル２１を回転駆動する。
【００５４】
再生アンプ１７は、ピックアップ１５からの再生信号を増幅して、ＣＤ−ＲＯＭデコーダ１８、サーボ回路１９及びＡＴＩＰデコーダ２０に出力する。
【００５５】
ＣＤ−ＲＯＭデコーダ１８は、ＭＰＵ１１の制御下で動作して、再生アンプ１７から入力される再生信号を再生データにデコードし、ホストコントローラ２１に出力する。
【００５６】
サーボ回路１９は、ＭＰＵ１１の制御下で動作し、ピックアップ１５のフォーカス制御及びトラッキング制御を行うとともに、モータ１６に制御信号を出力して、ターンテーブル２１の回転を制御する。
【００５７】
ＡＴＩＰデコーダ２０は、ＭＰＵ１１の制御下で動作して、再生アンプ１７からの再生信号に基づいて情報記録媒体１の絶対時間情報を再生し、再生した絶対時間情報をＭＰＵ１１に出力する。
【００５８】
次に、動作を説明すると、情報記録媒体１が目次領域ＲＡとリードアウト領域ＯＡがピットにより再生専用として予め形成され、目次領域ＲＡとリードアウト領域ＯＡの間の記録情報領域２が記録・消去可能に形成されているとともに、予めダミーデータを書き込むことにより初期化されており、この情報記録媒体１を情報記録装置１０により記録、再生するが、記録時、目次領域ＲＡを記録することなく、記録情報領域２のみの記録を行う。
【００５９】
すなわち、情報記録媒体１は、図１に示したように、その最内周部に目次領域ＲＡがピットにより再生専用に形成され、その最外周部にリードアウト領域ＯＡがピットにより再生専用に形成されている。この目次領域ＲＡとリードアウト領域ＯＡの間に記録情報領域２が相変化材料により記録・消去可能に形成されており、目次領域ＲＡには、図４に示すように、予め記録情報領域２のスタート時間ＳＴ１、リードアウト領域ＯＡのスタート時間ＳＴ２及び各トラックのスタート時間ＴＳＴ等がＴＯＣ（Ｔable  of  contents）として記録されている。
【００６０】
したがって、情報Ｉの記録時、記録情報領域２のみの記録を行うだけで、記録後の情報記録媒体１を情報記録装置１０、すなわち、ＣＤ−ＲＯＭプレーヤにより再生することができ、情報Ｉの記録を短時間で行うことができるとともに、追記後が１つのセッションとなるので、高速で再生することができる。
【００６１】
そして、情報記録媒体１は、予めダミーデータ（データの全てがゼロの情報にエラー訂正コード・アドレス情報を付加した情報）を記録することにより初期化されているので、記録時、記録情報領域２に、管理情報ＣＩを指標する指標管理情報ＳＩ、情報Ｉを検索するための管理情報ＣＩ及び情報Ｉを記録するだけで、ＣＤ−ＲＯＭプレーヤにより再生することができ、情報Ｉの記録、追記及び再生をより一層短時間で行うことができる。
【００６２】
次に、情報記録装置１０による情報Ｉの記録動作について、図４及び図５に基づいて説明する。
【００６３】
情報記録媒体１に情報Ｉを記録する場合、情報記録装置１０は、図５に示すように、まず、ターンテーブル２１にセットされた情報記録媒体１が初期化されているかチェックし（ステップＳ１）、初期化されていないときには、記録情報領域２に上記ダミーデータを記録して、情報記録媒体１を初期化する（ステップＳ２）。
【００６４】
ステップＳ１で情報記録媒体１が初期化されているとき、あるいは、ステップＳ２で、初期化が完了すると、情報記録装置１０は、目次領域ＲＡに予め記録情報領域２のスタート時間ＳＴ１、リードアウト領域ＯＡのスタート時間ＳＴ２及び各トラックのスタート時間ＴＳＴ等がＴＯＣ（Ｔable  of  contents）として記録されているので、情報記録媒体１のプレギャップＰＧの直後にある指標管理情報領域ＳＩＡの指標管理情報ＳＩを読み取って、指標管理情報ＳＩから管理情報ＣＩの位置を取得し（ステップＳ３）、管理情報領域ＣＩＡの管理情報ＣＩを読み取る（ステップＳ４）。
【００６５】
情報記録装置１０は、この記録前の情報記録媒体１の管理情報ＣＩと新たに記録する情報Ｉの情報量から新たな管理情報ＣＩを作成し（ステップＳ５）、さらに指標管理情報ＳＩを作成して、情報記録媒体１の管理情報領域ＣＩＡと指標管理情報領域ＳＩＡに管理情報ＣＩ及び指標管理情報ＳＩを記録する（ステップＳ７）。すなわち、記録時に、図４に示すように、ファイルfile１、file２、file３、・・・の記録位置情報ＳＡ１、ＳＡ２、ＳＡ３、・・・等により管理情報ＣＩを作成し、この管理情報ＣＩに基づいて指標管理情報ＳＩを作成する。そして、プレギャップＰＧから管理情報領域ＣＩＡまでを連続して記録して、情報Ｉを記録し、さらに、情報Ｉの入っていない記録情報領域２にもアドレス（時間）情報を記録する。さらに、目次領域ＲＡとリードアウト領域ＯＡがすでに記録されているので、ＣＤ−ＲＯＭプレーヤにより高速に再生することができる。
【００６６】
最後に、情報記録装置１０は、新たな情報Ｉを記録して、記録処理を終了する（ステップＳ８）。
【００６７】
このように、情報記録媒体１の目次領域ＲＡには、予め記録情報領域２のスタート時間ＳＴ１、リードアウト領域ＯＡのスタート時間ＳＴ２及び各トラックのスタート時間ＴＳＴ等がＴＯＣとして記録されているので、情報Ｉの記録時、記録情報領域２のみの記録を行うだけで、情報Ｉの記録を短時間で行うことができる。そして、目次領域ＲＡとリードアウト領域ＯＡがすでに記録されているので、通常のＣＤ−ＲＯＭプレーヤにより再生することができる。
【００６８】
また、上記記録時に、プレギャップＰＧから指標管理情報領域ＳＩＡを経て管理情報領域ＣＩＡまでを連続して記録すると、再生のときに信号の乱れを少なくすることができる。
【００６９】
さらに、管理情報領域ＣＩＡは、追記、書き換えにより、大量のディレクトリーを作成する場合を考慮して、予め大きめに設定しておく。一般的には、最初の情報Ｉのスタート時間ＳＴを、管理情報領域ＣＩＡから数１００セクター後、すなわち、管理情報領域ＣＩＡのサイズが数１００セクターになるようにしておけば、充分である。
【００７０】
すなわち、ＣＤ−ＲＯＭプレーヤで再生時において、追記、書き換えにより信号が乱れた場合、安定して再生できるまでに数セクターかかるので、各ファイルの前に１０セクター程度付加して記録することにより、安定して情報Ｉを再生することができる。
【００７１】
そして、記録時には、上述のように、ファイルfile１、file２、file３、・・・の記録位置情報ＳＡ１、ＳＡ２、ＳＡ３、・・・等により管理情報ＣＩを作成して、この管理情報ＣＩに基づいて指標管理情報ＳＩを作成し、プレギャップＰＧから管理情報領域ＣＩＡまでを連続して記録して、情報Ｉを記録する。また、情報Ｉの入っていない記録情報領域２にもアドレス（時間）情報を記録する。さらに、目次領域ＲＡとリードアウト領域ＯＡがすでに記録されているので、ＣＤ−ＲＯＭプレーヤにより高速に再生することができる。
【００７２】
また、情報Ｉの入っていない記録情報領域２に情報Ｉを追加したり、すでに書かれている情報Ｉに重ね書きする際に、それにしたがって管理情報ＣＩ、指標管理情報ＳＩを管理情報領域ＣＩＡ及び指標管理情報領域ＳＩＡに重ね書きすると、追記、書き換えを行うことができる。
【００７３】
図６〜図８は、本発明の情報記録媒体及び情報記録装置の第２の実施の形態を示す図であり、本実施の形態は、第１の実施の形態の記録情報領域の一部をピットにより再生専用に形成したものである。なお、本実施の形態の説明においては、上記第１の実施の形態と同様の構成部分には、同一の符号を付して、その詳細な説明を省略する。
【００７４】
図６において、情報記録媒体３０は、目次領域ＲＡとリードアウト領域ＯＡが、ピットにより再生専用領域として形成されており、さらに、記録情報領域３１の大部分は、記録・消去可能に形成されているが、その一部がピットにより再生専用領域として形成されている。
【００７５】
この記録情報領域３１の再生専用領域は、再生専用の情報であるＲＯＭ部ＲＭと、ＲＯＭ部ＲＭの情報Ｉだけを検索するための管理情報であるＲＯＭ管理情報ＲＭＩからなり、記録情報領域３１の最外周に形成されたリードアウト領域ＯＡの内周側に外周側からＲＯＭ管理情報ＲＭＩ、ＲＯＭ部ＲＭの順に配置、形成されている。
【００７６】
情報記録媒体３０は、情報Ｉを記録する前に、上述のように、まず、情報記録媒体３０の初期化を行なう。
【００７７】
情報記録媒体３０の初期化は、まず、図７に示すように、ＲＯＭ部ＲＭのＲＯＭ管理情報ＲＭＩを読み出し、この読み出したＲＯＭ管理情報ＲＭＩを記録・消去可能領域の管理情報ＣＩに写して、このＲＯＭ管理情報ＲＭＩを写した管理情報ＣＩに基づいて指標管理情報ＳＩを作成する。次に、指標管理情報ＳＩ及び管理情報ＣＩにより、指標管理情報領域ＳＩＡと管理情報領域ＣＩＡをプレギャップＰＧから連続して記録する。さらに、残りの記録情報領域３１に、第１の実施の形態と同様に、データの全てがゼロの情報をＣＤ−ＲＯＭフォーマットに変換し、さらにＣＤエンコードされた信号を記録することにより、初期化を完了する。
【００７８】
次に、情報記録媒体３０に情報記録装置１０を用いて情報Ｉを記録する場合について、図７〜図９に基づいて説明する。
【００７９】
情報記録媒体３０に情報Ｉを記録する場合、情報記録装置１０は、図８に示すように、まず、ターンテーブル２１にセットされた情報記録媒体３０が初期化されているかチェックし（ステップＰ１）、初期化されていないときには、記録情報領域３１に再生専用領域であるＲＯＭ領域（ＲＯＭ部ＲＭ及びＲＯＭ管理情報ＲＭＩ）があるかどうかチェックする（ステップＰ２）。ＲＯＭ領域があるときには、上述のように、情報記録装置１０は、ＲＯＭ管理情報ＲＭＩを読み出し（ステップＰ３）、読み出したＲＯＭ管理情報ＲＭＩのデータより管理情報ＣＩを作成するとともに、指標管理情報ＳＩを作成する（ステップＰ４Ｐ、Ｐ５）。次に、情報記録装置１０は、プレギャップＰＧ、指標管理情報ＳＩ及び管理情報ＣＩを順次連続して記録し（ステップＰ６）、記録情報領域３１の記録可能領域に上記ダミーデータを記録して、情報記録媒体３０を初期化する（ステップＰ７）。
【００８０】
ステップＰ２で、ＲＯＭ領域がないときには、情報記録装置１０は、ステップＰ７に移行して、上記同様に、ダミーデータを記録して、情報記録媒体３０を初期化し（ステップＰ７）、ステップＰ１で、情報記録媒体３０が初期化されているときには、図７に示したように、指標管理情報領域ＳＩＡには予め記録情報領域３１の記録可能領域のスタート時間ＳＴ１、リードアウト領域ＯＡのスタート時間ＳＴ２及び各トラックのスタート時間ＴＳＴ等がＴＯＣ（Ｔable  of  contents）として記録されているとともに、ＲＯＭ領域があるときには、上述のように、ＲＯＭ領域のＲＯＭ部ＲＭの情報Ｉを検索するための時間情報ＳＴ１１、ＳＴ１２が記録されているので、情報記録媒体３０のプレギャップＰＧの直後にある指標管理情報領域ＳＩＡの指標管理情報ＳＩを読み取って、指標管理情報ＳＩから管理情報ＣＩの位置を取得し（ステップＰ８）、管理情報領域ＣＩＡの管理情報ＣＩを読み取る（ステップＰ９）。
【００８１】
情報記録装置１０は、この記録前の情報記録媒体３０の管理情報ＣＩと新たに記録する情報Ｉの情報量から、図９に示すように、新たな情報Ｉであるファイルfile１、file２、file３、・・・の記録位置情報ＳＡ１、ＳＡ２、ＳＡ３、・・・等により新たな管理情報ＣＩを作成し（ステップＰ１０）、さらに指標管理情報ＳＩを作成して、プレギャップＰＧを記録した後、情報記録媒体３０の管理情報領域ＣＩＡと指標管理情報領域ＳＩＡに管理情報ＣＩ及び指標管理情報ＳＩを記録する（ステップＰ１２）。したがって、新たな管理情報ＣＩには、図９に示すように、ＲＯＭ部の情報Ｉを検索するための時間情報ＳＴ１１、ＳＴ１２とともに、新たな情報Ｉであるファイルfile１、file２、file３、・・・の記録位置情報ＳＡ１、ＳＡ２、ＳＡ３、・・・（時間情報）が記録されている。
【００８２】
最後に、情報記録装置１０は、新たな情報Ｉを記録して、記録処理を終了する（ステップＰ１３）。
【００８３】
このように、記録情報領域３１にＲＯＭ部（再生専用領域）があるときには、初期化に先立って、まず、ＲＯＭ管理情報ＲＭＩを読み出して、読み出したＲＯＭ管理情報ＲＭＩのデータより管理情報ＣＩと指標管理情報ＳＩを作成し、指標管理情報ＳＩと管理情報ＣＩを記録して、ＲＯＭ部ＲＭの情報Ｉを検索するための時間情報ＳＴ１１、ＳＴ１２が記録されているとともに、情報Ｉの記録時、新たに記録される情報Ｉ（追記された情報Ｉ）を検索するための記録位置情報ＳＡ１、ＳＡ２、ＳＡ３、・・・の両方が記録されるので、１枚の情報記録媒体３０に、ＣＤ−ＲＯＭプレーヤで再生することのできる再生専用領域と記録可能領域を形成することができるとともに、高速で記録処理を行うことができる。したがって、例えば、情報記録媒体３０の再生専用領域にパーソナルコンピュータのシステムプログラムを記録し、記録可能領域を利用して、情報記録装置１０によりカストマイズすることができ、情報記録媒体３０の利用性を向上させることができる。
【００８４】
図１０〜図１２は、本発明の第３の実施の形態を示す図であり、本実施の形態は、情報記録媒体全体を記録可能領域として形成したものである。
【００８５】
情報記録媒体４０は、図１０に示すように、最内周に目次領域ＲＡ２が記録され、最外周にリードアウト領域ＯＡ２が記録される。この目次領域ＲＡ２とリードアウト領域ＯＡ２の間に記録情報領域４１が記録され、目次領域ＲＡ２には、記録情報領域４１のスタート時間ＳＴ１、リードアウト領域ＯＡ２のスタート時間ＳＴ２、各トラックのスタート時間等がＴＯＣとして記録される。
【００８６】
記録情報領域４１は、プレギャップＰＧが形成され、それ以降の記録情報領域に、所定のダミーデータ、例えば、全てのデータがゼロの情報をＣＤ−ＲＯＭフォーマットに変換して、さらに、ＣＤエンコードされた信号を記録することにより、フォーマットされる。
【００８７】
次に、情報記録装置１０により情報記録媒体４０に情報Ｉを記録する場合について、図１１及び図１２に基づいて説明する。
【００８８】
情報記録装置１０は、図１１に示すように、まず、ターンテーブル２１にセットされた情報記録媒体４０が初期化されているかチェックし（ステップＱ１）、初期化されていないときには、上述のように、目次領域ＲＡ２の記録、プレギャップＰＧの記録及び記録情報領域４１へのダミーデータの記録を順次行って、最後に、リードアウト領域ＯＡ２を記録することにより、初期化する（ステップＱ２〜Ｑ５）。
【００８９】
上記初期化を完了するか、ステップＱ１で、情報記録媒体４０が既に初期化されていると、ステップＱ６に移行して、上記第１の実施の形態と同様に、指標管理情報ＳＩ及び管理情報ＣＩを読み込んで、これらの指標管理情報ＳＩ及び管理情報ＣＩと新たに記憶する情報量と管理情報ＣＩから新しい管理情報ＣＩを作成し（ステップＱ６〜Ｑ８）、また、新しい指標管理情報ＳＩを作成する（ステップＱ９）。
【００９０】
そして、図１２に示すように、プレギャップＰＧ、上記指標管理情報ＳＩ及び管理情報ＣＩを指標管理情報領域ＳＩＡ及び管理情報領域ＣＩＡに記録し（ステップＱ１０）、次に、情報Ｉを記録して、記録処理を終了する（ステップＱ１１）。
【００９１】
このように、本実施の形態によれば、前記初期化により、記録可能領域に目次領域ＲＡ２、リードアウト領域ＯＡ２及びプレギャップＰＧを記録し、それ以外の記録情報領域４１にダミーデータを記録して、予め時間情報やアドレス情報を記録するので、情報Ｉを追記する際には、記録する情報Ｉとそれを検索するための情報（管理情報ＣＩと指標管理情報ＳＩ）だけを記録するだけで、ＣＤ−ＲＯＭプレーヤで再生可能な情報Ｉの追記、書き換えを短時間で行うことができる。
【００９２】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００９３】
例えば、上記第１の実施の形態においては、目次領域ＲＡと目次領域ＲＡの外周側の記録可能領域に連続して記録情報領域２を形成して、プレギャップＰＧを記録しているが、これに限るものではなく、例えば、図１３に示すように、情報記録媒体５０の最内周に形成された目次領域ＲＡに続いて再生専用領域にプレギャップＰＧの一部を形成し、この目次領域ＲＡとプレギャップＰＧの一部の形成された再生専用領域の外周に形成された記憶・消去可能領域である記録情報領域５１の最内周にプレギャップＰＧの一部を形成してもよい。すなわち、目次領域ＲＡの形成された再生専用領域と記録情報領域２の形成された記録可能領域の接合部にまたがるようにプレギャップＰＧを形成している。このようにすると、再生専用領域と記録可能領域の接合部を、頻繁にシークされる記録情報領域２のスタート位置からはずすことができ、シーク時の安定性を向上させることができる。
【００９４】
また、上記第２の実施の形態においても、図１４に示すように、情報記録媒体６０の最内周にピットにより形成された再生専用領域に、目次領域ＲＡと目次領域ＲＡに続いてプレギャップＰＧの一部を形成し、この再生専用領域の外周に形成された記録・消去可能領域である記録情報領域６１の最内周にプレギャップＰＧの残りの部分を形成してもよい。
【００９５】
したがって、この場合にも、再生時、ピットで再生専用領域として形成される目次領域ＲＡと記録可能領域の接合部を、頻繁にシークされる記録情報領域３１のスタート位置となることをさけて、プレギャップＰＧのシーク時に不安定になることを防止することができる。その結果、ＣＤ−ＲＯＭプレーヤによる再生時の安定性を向上させることができる。
【００９６】
さらに、上記各実施の形態においては、管理情報ＣＩと記録情報領域２、３１、４１に情報Ｉを記録する際に、管理情報ＣＩを記憶した管理情報領域ＣＩＡと次の情報Ｉとを連続して記録しているが、管理情報領域ＣＩＡと次の情報Ｉとの間に、記録再生されない領域を設けて記録するようにしてもよい。このようにすると、記録時、予め記録されている情報Ｉに重ね書きされることを防止することができ、情報Ｉを適切に記録することができるとともに、安定して再生することができる。
【００９７】
また、上記各実施の形態においては、情報Ｉを記録する際、管理情報領域ＣＩＡに引き続いて直接情報Ｉを記録しているが、情報Ｉの先頭に所定の任意のデータを付加して記録してもよい。このようにすると、ＣＤ−ＲＯＭプレーヤにより安定して再生することができる。
【００９８】
【発明の効果】
本発明の情報記録媒体によれば、目次領域とリードアウト領域を予めピットにより再生専用に形成するとともに、記録情報領域を記録・消去可能に形成し、情報の記録、追加、書換時に記録情報領域のみを記録することにより、ＣＤ−ＲＯＭプレーヤで再生することのできる情報を短時間で記録することができる。
【００９９】
特に、請求項１記載の発明の情報記録媒体によれば、再生専用の目次領域と記録・消去可能な記録情報領域との境界部分に、再生専用のプレギャップと記録・消去可能なプレギャップを形成しているので、再生専用領域と記録・消去可能領域を頻繁にシークされる記録情報領域の先頭からずらすことができ、情報の追記や書換による信号の乱れが発生した場合にも、ＣＤ−ＲＯＭプレーヤにより安定して再生することができる。
【０１００】
また、請求項２記載の発明の情報記録媒体によれば、再生専用の目次領域と記録・消去可能な記録情報領域との境界部分に、再生専用のプレギャップと記録・消去可能なプレギャップを形成するとともに、記録情報領域に再生専用領域と記録・消去可能領域を形成しているので、ＣＤ−ＲＯＭプレーヤにより安定して再生することができるとともに、情報記録媒体の利用性を向上させることができる。
【０１０１】
さらに、請求項３記載の発明の情報記録媒体によれば、記録情報領域の記録・消去可能な領域に予め所定のダミーデータが記録されているので、記録時に記録情報領域全体を記録することなく、必要な指標管理情報、管理情報及び情報のみを記録するだけで記録・再生を行うことができ、ＣＤ−ＲＯＭプレーヤで再生可能な情報の記録、追加及び書換を短時間で行うことができる。
【０１０２】
さらに、請求項４記載の発明の情報記録媒体によれば、記録情報領域の再生専用領域に、情報と当該情報を検索するための第２の管理情報が予め記録されているので、再生専用領域の管理情報を他に記録することなく、追記を行うことができるとともに、再生専用領域と記録・消去可能領域の双方をＣＤ−ＲＯＭプレーヤにより再生することができる。
【０１０３】
さらに、請求項５記載の発明の情報記録媒体によれば、記録情報領域の再生専用領域に、情報、当該情報を検索するための第２の管理情報及びリードアウト領域が連続して領域形成されているので、情報記録媒体の初期化時に再生専用領域の管理情報の位置を簡単に検出して、高速に初期化を行うことができるとともに、追記時に該管理情報を誤って重ね書きすることを防止することができる。
【図面の簡単な説明】
【図１】  本発明の情報記録媒体及び情報記録装置の第１の実施の形態を適用した情報記録媒体の側面部分断面図。
【図２】  図１の情報記録媒体を初期化した状態の側面部分断面図。
【図３】  本発明の情報記録媒体及び情報記録装置の第１の実施の形態を適用した情報記録装置のブロック構成図。
【図４】  図３の情報記録装置により図１の情報記録媒体に情報を記録する記録処理を示すフローチャート。
【図５】  図１の情報記録媒体に情報を記録した状態を示す側面部分断面図。
【図６】  本発明の情報記録媒体及び情報記録装置の第２の実施の形態を適用した情報記録媒体の側面部分断面図。
【図７】  図６の情報記録媒体を初期化した状態の側面部分断面図。
【図８】  図３の情報記録装置により図６の情報記録媒体に情報を記録する記録処理を示すフローチャート。
【図９】  図６の情報記録媒体に情報を記録した状態を示す側面部分断面図。
【図１０】  本発明の情報記録媒体及び情報記録装置の第３の実施の形態を適用した情報記録媒体の側面部分断面図。
【図１１】  図３の情報記録装置により図１０の情報記録媒体に情報を記録する記録処理を示すフローチャート。
【図１２】  図１０の情報記録媒体に情報を記録した状態を示す側面部分断面図。
【図１３】  図１の再生専用領域と記録可能領域にまたがるようにプレギャップを形成した情報記録媒体の一例を示す情報記録媒体の側面部分断面図。
【図１４】  図６の再生専用領域と記録可能領域にまたがるようにプレギャップを形成した情報記録媒体の一例を示す情報記録媒体の側面部分断面図。
【図１５】  従来のＣＤ−ＲＯＭの側面部分断面図。
【図１６】  従来のＣＤ−Ｒの側面部分断面図。
【図１７】  従来の第１セッションを再生専用にビットで形成した例のＣＤ−Ｒの側面部分断面図。
【符号の説明】
１、３０、４０、５０、６０  情報記録媒体
２、３１、４１、５１、６１  記録情報領域
３  基板
ＲＡ  目次領域（リードイン領域）
ＯＡ  リードアウト領域
ＰＧ  プレギャップ
ＣＩ  管理情報
ＣＩＡ  管理情報領域
Ｉ  情報
ＳＩＡ  指標管理情報領域
ＳＩ  指標管理情報
ＳＴ１、ＳＴ２  スタート時間
ＴＳＴ  スタート時間
ＳＡ１、ＳＡ２、ＳＡ３  記録位置情報
ＲＭ  ＲＯＭ部
ＲＭＩ  ＲＯＭ管理情報
ＳＴ１１、ＳＴ１２  時間情報
１０  情報記録装置
１１  ＭＰＵ
１２  ＣＤ−ＲＯＭエンコーダ
１３  記録アンプ
１４  ＬＤドライバ
１５  ピックアップ（ＰＵ）
１６  モータ
１７  再生アンプ
１８  ＣＤ−ＲＯＭデコーダ
１９  サーボ回路
２０  ＡＴＩＰデコーダ
２１  ターンテーブル
【図１】
0003693742.tif 000002
【図２】
0003693742.tif 000003
【図３】
0003693742.tif 000004
【図４】
0003693742.tif 000005
【図５】
0003693742.tif 000006
【図６】
0003693742.tif 000007
【図７】
0003693742.tif 000008
【図８】
0003693742.tif 000009
【図９】
0003693742.tif 000010
【図１０】
0003693742.tif 000011
【図１１】
0003693742.tif 000012
【図１２】
0003693742.tif 000013
【図１３】
0003693742.tif 000014
【図１４】
0003693742.tif 000015
【図１５】
0003693742.tif 000016
【図１６】
0003693742.tif 000017
【図１７】
0003693742.tif 000018